(57)【要約】【課題】ＶＴＲとＤＶＤレコーダー複合機において、ビデオテープに記録されている映像信号をＤＶＤの１枚の容量をオーバーすることもなく、逆に大きく余らすこともなく調度ＤＶＤに複製して1枚のディスク提供する。  【解決手段】  ＶＣＲ手段１０は磁気テープＴに記録された映像音声信号を再生し、デジタル録画手段２０は、このＶＣＲ手段１０により再生された映像音声信号を符号化して光ディスクＤに記録する。前記ＶＣＲ手段１０は、ビデオカセットに収納された磁気テープの総録画時間を算出する総録画時間算出手段１２ａを具備する。前記デジタル録画手段は前記総録画時間から、前記磁気テープに記録された映像及び音声信号が、光ディスクの未記録領域を実質的に全て使用して記録されるための最適記録レートを算出する最適記録レート算出手段２８ａを具備する。【選択図】    図１
2006024338.tif 000002
【特許請求の範囲】
【請求項１】
磁気テープＴに記録された映像音声信号を再生するＶＣＲ手段と、このＶＣＲ手段により再生された映像音声信号を符号化して光ディスクＤに記録するデジタル録画手段とを備えた録画再生システムにおいて、
前記ＶＣＲ手段は、ビデオカセットに収納された磁気テープの総録画時間を算出する総録画時間算出手段を具備し、
前記デジタル録画手段は、前記総録画時間算出手段により算出された前記総録画時間から、前記磁気テープに記録された映像及び音声信号が、光ディスクの未記録領域を実質的に全て使用して記録されるための最適記録レートを算出する最適記録レート算出手段とを具備することを特徴とする録画再生システム。
【請求項２】
前記ＶＣＲ手段は、前記磁気テープに記録されたコントロールパスルを検出するコントロールパルス検出手段を具備し、前記総録画時間算出手段は、前記コントロールパルス検出手段により検出されたコントロールパルスを計数し、該計数値に基づいて前記総録画時間を算出することを特徴とする請求項１記載の録画再生システム。
【請求項３】
前記ＶＣＲ手段は、前記磁気テープＴの無録画領域を検出し、該無録画領域の開始を通知する無録画領域検出手段を具備し、
前記デジタル録画手段は、前記無録画領域検出手段から前記無録画領域の開始の通知に応じて、前記ＶＣＲ手段からの映像音声信号の前記光ディスクに対する記録を停止することを特徴とする請求項１記載の録画再生システム。
【請求項４】
前記ＶＣＲ手段は、前記磁気テープに記録されたコントロールパスルを検出するコントロールパルス検出手段を具備し、前記無録画領域検出手段、前記コントロールパルスの検出に基づいて、前記磁気テープ上の無録画領域を検出することを特徴とする請求項１記載の録画再生システム。
【請求項５】
前記ＶＣＲ手段は、前記磁気テープ再生映像信号の振幅の包絡線の検出に基づいて、前記磁気テープ上の無録画領域を検出することを特徴とする請求項１記載の録画再生システム。
【請求項６】
前記デジタル録画手段は、前記光ディスクに対する記録を停止したことを通知する手段を具備し、
前記ＶＣＲ手段は、停止の通知に応じて、次の記録位置までテープを早送りすることを特徴とする請求項３記載の録画再生システム。
【請求項７】
前記ＶＣＲ手段は、次の記録位置までのテープの早送りを完了すると、無録画領域の終了を通知する手段を具備し、
前記デジタル録画手段は、前記ＶＣＲ手段からの前記無録画領域の終了の通知に応じて、前記ＶＣＲ手段からの映像音声信号の前記光ディスクに対する記録を再開することを特徴とする請求項４記載の録画再生システム。
【請求項８】
前記最適記録レート算出手段は、
総録画時間算出手段により算出された前記総録画時間と、前記デジタル録画手段の音声記録レートとから、前記光ディスクに記録される音声データ量を算出する手段と、
前記光ディスクの空き容量と、前記算出された音声データ量から、前記光ディスクに記録可能な映像容量を算出する手段と、
前記算出された映像容量と、前記総録画時間から、前記最適な映像記録レートを算出する手段と、
を具備することを特徴とする請求項１記載の録画再生システム。
【請求項９】
磁気テープに複数の録画速度モードにて記録された映像音声信号を再生するＶＣＲ手段と、このＶＣＲ手段により再生された映像音声信号を符号化して光ディスクに記録するデジタル録画手段とを備えた録画再生システムにおいて、
前記ＶＣＲ手段は、ビデオカセットに収納された磁気テープの総録画時間を算出する総録画時間算出手段と、前記磁気テープに記録された映像信号の前記複数の録画速度モードを検出する手段を具備し、
前記デジタル録画手段は、前記総録画時間算出手段により算出された前記総録画時間から、前記磁気テープに前記複数の録画モードにて記録された映像及び音声信号が、光ディスクの未記録領域を実質的に全て使用して記録され、各録画速度モードにそれぞれ対応する複数の記録レートを算出する最適記録レート算出手段とを具備することを特徴とする録画再生システム。
【請求項１０】
前記ＶＣＲ手段は、前記磁気テープに記録されたコントロールパスルを検出するコントロールパルス検出手段を具備し、前記総録画時間算出手段は、前記コントロールパルス検出手段により検出されたコントロールパルスの計数し、該計数値に基づいて前記総録画時間を算出することを特徴とする請求項９記載の録画再生システム。
【請求項１１】
磁気テープに記録された映像音声信号を再生するＶＣＲ手段と、このＶＣＲ手段により再生された映像音声信号を符号化して光ディスクに記録するデジタル録画手段とを備えた録画再生システムにおける、前記映像音声信号のダビング方法であって、
ビデオカセットに収納された磁気テープの総録画時間を算出し、
前記算出された前記総録画時間から、前記磁気テープに記録された映像及び音声信号が、光ディスクの未記録領域を実質的に全て使用して記録されるための最適記録レートを算出し、
前記算出された最適記録レートでＶＣＲ手段により再生された映像音声信号をデジタル録画手段を用いて、前記光ディスクにダビングすることを特徴とするダビング方法。
【発明の詳細な説明】
【技術分野】
【０００１】
本発明は、ビデオカセットに収納された磁気テープ及び記録型光ディスクに対して、情報を記録再生可能な録画再生システムに関する。
【背景技術】
【０００２】
周知のように近年では、情報記録メディアとしてＣＤやＤＶＤのような光ディスクが普及している。ＤＶＤとしては再生専用のＤＶＤ−ＲＯＭ、追記可能なＤＶＤ−Ｒ、書換え可能なＤＶＤ−ＲＡＭ、ＤＶＤ−ＲＷ等がある。記録型光ディスクつまり追記可能又は書換え可能な光ディスクは情報記録層を有し、該情報記録層の記録容量は例えばＣＤ−Ｒの場合は７００ＭＢ程度、ＤＶＤ−Ｒ等の場合は４．７ＧＢ程度である。
【０００３】
最近、このような記録型光ディスクに対して情報を記録再生できるＤＶＤレコーダが普及し始めている。また、従来からの磁気テープに情報を記録するＶＴＲを内蔵したＤＶＤレコーダも市販されている。下記特許文献１では、ビデオテープ上の映像音声データをその記録状態に応じた状態でＤＶＤ−ＲＡＭなどに複製することを可能とする映像音声記録システムが開示されている。
【特許文献１】特開２００１−１６５４０号公報（段落０００９−００１５、図１、３−４頁）
【発明の開示】
【発明が解決しようとする課題】
【０００４】
特許文献１に示される技術は、ビデオテープの記録状態に応じてインデックスデータを検出して、映像音声データの分割やビデオテープの搬送速度を判定し、画質水準の設定、ビデオテープの無記録領域を検出して記録媒体への記録の終了とをＤＶＤ−ＲＡＭへの複製時に実行させるものである。いずれの手段も１枚のディスクに調度良く（容量的に）複製させるための技術は何ら説明されていない。ビデオテープの記録時間には３倍モード、標準モード等のテープスピード、６０分、１２０分、１８０分等のテープの長さによって異なり、更に記録されていない領域などを考慮しないと１枚のディスクに調度良く（容量的に）複製させることができないという問題がある。
【０００５】
そこで、本発明はこのような問題に鑑み、ＶＴＲとＤＶＤレコーダー複合機において、ビデオテープの内容（記録されている部分）をＤＶＤの１枚の容量をオーバーすることもなく、逆に大きく余らすこともなく丸ごとＤＶＤに複製して1枚のディスクにするシステムを提供することを目的としている。
【課題を解決するための手段】
【０００６】
本発明に係る録画再生システムは、磁気テープＴに記録された映像音声信号を再生するＶＣＲ手段と、このＶＣＲ手段により再生された映像音声信号を符号化して光ディスクに記録するデジタル録画手段とを備えた録画再生システムにおいて、前記ＶＣＲ手段は、ビデオカセットに収納された磁気テープの総録画時間を算出する総録画時間算出手段を具備し、前記デジタル録画手段は、前記総録画時間算出手段により算出された前記総録画時間から、前記磁気テープに記録された映像及び音声信号が、光ディスクの未記録領域を実質的に全て使用して記録されるための最適記録レートを算出する最適記録レート算出手段とを具備する。
【０００７】
本発明に係るダビング方法は、磁気テープＴに記録された映像音声信号を再生するＶＣＲ手段、このＶＣＲ手段により再生された映像音声信号を符号化して光ディスクＤに記録するデジタル録画手段とを備えた録画再生システムにおける、前記映像音声信号のダビング方法であって、ビデオカセットに収納された磁気テープの総録画時間を算出し、前記算出された前記総録画時間から、前記磁気テープに記録された映像及び音声信号が、光ディスクの未記録領域を実質的に全て使用して記録されるための最適記録レートを算出し、前記算出された最適記録レートでＶＣＲ手段により再生された映像音声信号をデジタル録画手段を用いて、前記光ディスクにダビングする。
【発明の効果】
【０００８】
本発明によれば、ビデオテープ上の映像音声データの総記録時間の検出から設定する記録最適レートで、１本のテープを１枚のＤＶＤに過不足なく自動的に複製させることが可能となる。
【発明を実施するための最良の形態】
【０００９】
以下、図面を参照してこの発明の実施形態を説明する。
【００１０】
図１は、この発明の実施形態に係る録画再生システムの概略構成図である。この実施形態の録画再生システム１００は、ビデオテープに記録された映像／音声データを再生するＶＣＲ部１０と、このＶＣＲ部１０により再生された映像／音声データを圧縮符号化して記録媒体としてのＤＶＤ−ＲＡＭ、ＤＶＤ−Ｒなどの記録型光ディスクＤに記録するデジタル録画部２０と、同様に圧縮符号化された映像／音声データをハードディスクに記録するハードディスクドライブ（ＨＤＤ）２９、ＶＣＲ部１０とデジタル録画部２０とをシステム制御する制御部１０１と、ユーザーインターフェース１０２を備えている。そして、ＶＣＲ部１０とデジタル録画部２０との間には、制御信号線と映像／音声信号線とが設けられている。
【００１１】
また、ＶＣＲ部１０は、制御部１２及びテープドライブ部１１を有し、デジタル録画部２０は、Ａ／Ｄ変換部２１、エンコーダ部２２、データ処理部２３、ディスクドライブ部２４、デコーダ部２５、セレクタ２６、Ｄ／Ａ変換部２７及び制御部２８を有している。
【００１２】
ＶＣＲ部１０では、制御部１２が制御信号線を介してシステム制御部１０１と、デジタル録画部２０の制御部２８との間で制御信号を授受しながらＶＣＲ部１０全体を制御する。また、テープドライブ部１１が、ビデオカセット７に収納されたビデオテープに記録された映像／音声データを再生し、映像／音声信号線を介してこの映像／音声データをデジタル録画部２０のＡ／Ｄ変換部２１に送信する。
【００１３】
一方、デジタル録画部２０では、制御部２８が制御信号線を介してシステム制御部１０１と、ＶＣＲ部１０の制御部１２との間で制御信号を授受しながらデジタル録画部２０全体を制御する。
【００１４】
Ａ／Ｄ変換部２１は、ＶＣＲ部１０のドライブ部１１から映像／音声信号線を介して受け取た映像／音声データをＡ／Ｄ変換し、エンコーダ部２２はＡ／Ｄ変換された映像／音声データを圧縮符号化し、圧縮符号化された映像／音声データはデータ処理部２３を経てディスクドライブ部２４に供給される。ディスクドライブ部２４は、エンコーダ部２２から受け取った圧縮符号化後の映像／音声データを光ディスクＤに記録する。光ディスクＤに記録された映像／音声データはデータ処理部２３を経てデコーダ部２５が復号化してセレクタ２６に出力する。セレクタ２６は、Ａ／Ｄ変換部２１が受け取ったＶＣＲ部１０からの映像／音声データ及びデコーダ部２５で復号化した映像／音声データのいずれか一方を選択してＤ／Ａ変換部２７に出力する。Ｄ／Ａ変換部２７はセレクタ２６により選択された映像／音声データをＤ／Ａ変換し、ＡＶテレビなどの表示装置に映像／音声信号を出力する。  
次に、この実施形態に係る録画再生システムのダビング処理の動作原理を説明する。
【００１５】
まず、図２〜図４を参照して、この録画再生システム１００のダビング時における走行時間情報を利用した最適記録レート設定処理の動作原理を説明する。
【００１６】
一般に、ビデオテープの走行時間（記録または再生時間）の検出は走行時に、ビデオテープ長手方向にコントロールヘッド（図示されず）で記録されたビデオテープ上の時間情報を用いて行なわれる。図２はビデオテープ上の記録トラックを模式的に示す図である。信号が記録されたビデオテープは音声トラックＴａ、映像トラックＴｖ、コントロールトラックＴｃを有する。音声トラックＴａには音声ヘッド（図示されず）により音声信号が記録され、映像トラックＴｖにはシリンダヘッド（図示されず）により映像信号が記録され、コントロールトラックＴｃにはコントロールヘッドによりコントロールパルスが記録される。
【００１７】
図２（ａ）では、標準モードで記録された信号（図中左側）と、３倍モードで記録された信号（図中右側）を示している。シリンダヘッドは３０回転／秒で回転しならが映像信号を記録し、シリンダヘッドが１回転する毎にコントロールパルスが１パルス記録される。標準モードと３倍モードでは、走行速度が３倍異なるので、コントロールパルスの密度も標準モードと３倍モードでは３倍異なる。図２（ｂ）はコントロールパスルの再生波形を示す。テープ再生時、コントロールパルスの周期が常に一定になるように、テープ走行速度が制御される。
【００１８】
この実施形態の録画再生システム１００は、走行時間情報（コントロールパルス）を利用して、ビデオテープの総録画時間を算出し、総録画時間に基づいて光ディスクに記録する映像／音声データの記録レートを、１本のビデオテープに記録されたコンテンツが１枚のＤＶＤディスクに収まるように最適化する。
【００１９】
図３は、ダビング時におけるコントロールパルスを利用した最適記録レート設定処理のＶＣＲ部側の動作を示すフローチャートである。
【００２０】
制御部１２は先ず、テープドライブ部１１を用いてビデオテープを最後まで巻き戻し（ステップＳ１０１）、次に映像再生せずに早送りして（ステップＳ１０２）、走行時間検出部（コントロールヘッド）１１aがコントロールパスルを検出する（ステップＳ１０３）。検出されたコントロールパスルは制御部１２により計数される（ステップＳ１０４）。コントロールパルスの計数はビデオテープが最後まで早送りされ、テープが止まると終了する（ステップＳ１０５のＹＥＳ）。録画時間算出処理部１２aは、計数されたコントロールパルス数から総録画時間を算出し、制御信号を介して該総録画時間をデジタル録画部２０の制御部２８に送信する（ステップＳ１０６）。
【００２１】
次に、制御部１２は、テープドライブ部１１を用いて再びビデオテープを最後まで巻き戻し（ステップＳ１０７）、デジタル録画部２０の制御部２８から後述する準備完了通知が送信されてくるのを待機する（ステップＳ１０８）。この準備完了通知を受け取ると（ステップＳ１０８のＹＥＳ）、テープドライブ部１１を用いて映像／音声データの再生を開始させる（ステップＳ１０９）。
【００２２】
制御部１２は、テープドライブ部１１がビデオテープの終了を検知するまで、ステップＳ１０９の処理を行い、ビデオテープの終了が検出されたときに（ステップＳ１１０のＹＥＳ）、この処理を終了する。
【００２３】
図４は、ダビング時におけるコントロールパルスを利用したデジタル録画部２０側の最適記録レート設定処理の動作を示すフローチャートである。
【００２４】
制御部２８は、ＶＣＲ部１０の制御部１２から制御信号線を介して総録画時間通知を受け取ると（ステップＳ２０１のＹＥＳ）、最適記録レート設定処理部２８aを用いて、光ディスクに映像／音声データを記録するに最適な記録レートを設定する（ステップＳ２０２）。
【００２５】
図５は最適映像記録レート算出処理を示すフローチャートである。
【００２６】
デジタル録画部２０が例えばＤＶＤに映像／音声データを記録する場合、一般に最長記録時間が存在する。これは、映像／音声データに時間情報を付加して記録する場合の時間情報カウンタの値に上限値があるからである。ここでは、最長記録時間を８時間とする。制御部２８は制御部１２から受信した総録画時間Ｐｔが８時間を超えているか判断し（ステップＳ３０１）、超えている場合、制御部１２に「ダビング不可能」を通知して（ステップＳ３０２）、処理を終了する。この場合、本装置に接続された表示装置の画面に「ダビング不可能」を示す旨の警告文が表示される。
【００２７】
総録画時間Ｐｔが８時間を超えていない場合（ステップＳ３０１のＹＥＳ）、制御部２８は総録画時間Ｐｔ（ダビングに必要な時間）を本装置に接続された表示装置の画面に表示し（ステップＳＳ３０３）、ダビングを開始してよいかユーザの確認を得る。「ＯＫ」の場合（ステップＳ３０４のＹＥＳ）、制御部２８は最適記録レート設定処理部２８ａを用いて最適記録レートの算出を開始する。
【００２８】
以下、総録画時間Ｐｔが１５０分であったとして、最適記録レート設定処理部２８ａによる最適記録レートの算出方法を説明する。
【００２９】
先ず、総録画時間、音声記録レートから音声の総データ量を算出する（ステップＳ３０５）。  ＤＶＤの音声記録レートＲａには、例えばＬ−ＰＣＭ （１．６Ｍｂｐｓ）、ＤＤＭ１（３８４Ｋｂｐｓ）、ＤＤＭ２（１９２Ｋｂｐ）の３種類ある。ここではＤＤＭ１がユーザによりＤＤＭ１が選択されていたとする。すると、音声の総データ量Ｄａは以下のようになる（ステップＳ３０５）。
【００３０】
Ｄａ＝３８４×１０００（ｂ）×１５０（分）×６０（秒）
＝３４５６（Ｍｂ）
＝４３２（ＭＢ）
＝０．４３２（ＧＢ）
ここでｂはビット、Ｂはバイトを示す。
【００３１】
次に、ＤＶＤの記録容量、音声の総データ量から映像容量を算出する（ステップＳ３０６）。ＤＶＤの記録容量Ｃｄｖｄを４．７ＧＢとすると、映像データの記録に使用できる容量Ｃｖは、記録容量Ｃｄｖｄ（４．７ＧＢ）から音声の総データ量Ｄａ（０．４３２ＧＢ）を引いて、４．２６８ＧＢとなる。この結果、映像データの最適記録レートＲｖは、映像データ量を総録画時間Ｐｔで割って以下のようになる。
【００３２】
Ｒｖ＝４．２６８（Ｇバイト）／（１５０（分）×６０（秒））
＝０．４７４２２（ＭＢ／Ｓ）
＝３．７４９（Ｍｂｐｓ）
従って、最適記録レート設定処理部２８ａは最適記録レートＲｖを３．７Ｍｂｐｓと設定する。
【００３３】
この最適記録レート設定が完了すると、制御部２８は制御信号線を介してＶＣＲ部１０の制御部１２に準備完了通知を送信し（ステップＳ２０３）、ＤＶＤに対するデータ記録を開始する（ステップＳ２０４）。ここで制御部２８は、エンコータ部２２及びディスクドライブ部２４を用いて、ＶＣＲ部１０のテープドライブ部１１から映像／音声信号線を介して送信されてくる映像／音声データを圧縮符号化して、ＤＶＤに記録していく。
【００３４】
そして制御部２８は、エンコーダ部２２が映像／音声信号線を介して映像／音声データを受信している間（ステップＳ２０５のＮＯ）、前述したステップＳ２０４の処理を繰り返し、映像／音声データの受信が終了したときに（ステップＳ２０５のＹＥＳ）、この処理を終了する。  
尚、本実施形態では、ＶＣＲ部１０からの映像／音声信号を直接ＤＶＤに記録する例を示したが、ＶＣＲ部１０からの映像／音声信号を一旦ＨＤＤ２９に保存し、ＨＤＤから光ディスクに記録しても良い。更に、ＤＶＤは全くの未使用のディスクでなくとも、ある程度使用された（記録された）ディスクでも良い。ＤＶＤの空き容量に応じて、１本のビデオテープがＤＶＤにダビングされる。
【００３５】
次に、本発明の第２実施形態を図６及び図７を参照して説明する。この第２実施形態では、ビデオテープの無録画領域をＤＶＤに記録せずに、映像／音声データのみがＤＶＤに記録される。
【００３６】
一般に、ビデオテープに映像信号が記録されているか否かの判定は、前述のコントロールパルスまたは映像エンベロープ（映像信号の振幅の包絡線）等の信号検出により行なわれる。そこで、第２実施形態に係る録画再生システム１００は、光ディスクの記録にはビデオテープの無録画領域を記録せずに映像／音声データのみを記録し、その場合の記録レートが最適化される。尚、無録画領域の検出にはデジタル録画部２０の入力映像の垂直及び／又は水平同期信号の検出により行なっても良い。
【００３７】
図６は、ダビングにおける無録画領域検出時のＶＣＲ部側の録画同期処理動作を示すフローチャートである。図６のステップＳ４０１からＳ４１０は図３のステップＳ１０１からＳ１１０と同様であるので、説明は省略する。
【００３８】
制御部１２は、制御信号線を介してデジタル録画部２０の制御部２８から後述する準備完了通知を受け取ると（ステップＳ４１０のＹＥＳ）、テープドライブ部１１を用いて映像／音声データの再生を開始する（ステップＳ４１１）。そして制御部１２は、テープドライブ部１１がビデオテープの走行が終了しない限り（ステップＳ４１２のＮＯ）、ステップＳ４１３〜ステップＳ４１９の処理を繰り返し、ビデオテープの終了が検出されたときに（ステップＳ４１２のＹＥＳ）、この処理を終了する。
【００３９】
ビデオテープに記録された映像音声データの再生時に無記録領域が検出された場合（ステップＳ４１３のＹＥＳ）、その旨を示す無録画区間開始通知を制御信号線を介してデジタル録画部２０の制御部２８に送信する（ステップＳ４１４）。次に制御部１２は、制御信号線を介してデジタル録画部２０の制御部２８から後述する録画一時停止通知が送信されてくるのを待機し、この録画一時停止通知を受け取ると（ステップＳ４１５のＹＥＳ）、現在のテープ再生位置が無録画区間であるか判断し（ステップＳ４１６）、この判断結果に応じてテープドライブ部１１を用いて映像／音声データの記録が開始されている位置まで早送り再生または巻き戻し再生を行う（ステップＳ４１７、Ｓ４１８）。つまり、現在のテープ再生位置が無録画区間である場合（ステップＳ４１６のＹＥＳ）、次の記録位置までテープの早送りを行い、現在のテープ再生位置が既に録画区間になっている場合（ステップＳ４１６のＮＯ）、記録位置までテープの巻き戻し再生を行う。
【００４０】
録画開始位置への移動が完了すると（ステップＳ４２０のＹＥＳ）、その旨を示す無録画区間終了通知を制御信号線を介してデジタル録画部２０の制御部２８に送信し再生処理（ステップＳ４１１）に戻る。
【００４１】
図７は、ダビングにおける無録画領域検出時のデジタル録画部２０側の録画同期処理動作を示すフローチャートである。
【００４２】
制御部２８は、総録画時間通知を受信すると（ステップＳ５０１のＹＥＳ）、ステップＳ５０２のように最適記録レートを設定し、ステップＳ５０３のようにＶＣＲ部１０の制御部１２に準備完了通知を送信し、ステップＳ５０４のようにＤＶＤに対するデータ記録を開始する。これらのステップＳ５０１〜５０３は、図４のステップＳ２０１〜Ｓ２０３と同様である。
【００４３】
制御部２８は、エンコーダ部２２が映像／音声信号線を介して映像／音声データを受信している間（ステップＳ５０５のＮＯ）、ステップＳ５０６〜ステップＳ５０８の処理を繰り返し、映像／音声データの受信が終了したときに（ステップＳ５０５のＹＥＳ）、この処理を終了する。
【００４４】
制御部２８は、ＶＣＲ部１０の制御部１２から制御信号線を介して無録画区間開始通知を受け取ると（ステップＳ５０６のＹＥＳ）、映像音声データの記録を一時停止するとともに一時停止開始をＶＣＲ部１０の制御部１２に通知する（ステップＳ５０７）。従って、ビデオテープの無録画領域の検出と同期して、映像音声データの記録が自動的に一時停止される。
【００４５】
続いて制御部２８は、ＶＣＲ部１０の制御部１２から制御信号線を介して無録画区間終了通知を受け取ると（ステップＳ５０８のＹＥＳ）、映像／音声データの録画一時停止を解除し録画を再開する（ステップＳ５０４）。
【００４６】
尚、ＶＣＲ部により再生された各映像コンテンツの間に、著しく短い映像信号（例えば３秒以下の映像）が記録されていた場合、そのような映像信号はデジタル録画部側で削除するようにしても良い。
【００４７】
次に、本発明の第３実施形態を図８〜図１０を参照して説明する。
【００４８】
ビデオテープに映像／音声信号を記録する場合、標準モード及び３倍モードのように一般に複数の記録モードが用意されている。第３実施形態の場合、ビデオテープに記録された映像／音声信号の記録モードに応じて、ＤＶＤの記録レートが設定される。以下、ビデオテープに映像が標準モード及び３倍モードで記録されている場合を例として第３実施形態を説明する。
【００４９】
図８は第３実施形態に係るＶＣＲ部１０の動作を示すフローチャートである。
【００５０】
このフローチャートは、図３に示したＶＣＲ部１０のフローチャートと同様であるが、太線枠のステップが図３とは異なっている。従って、図３とは異なるステップを主に説明する。
【００５１】
走行時間検出部（コントロールヘッド）１１aがコントロールパスルを検出した場合（ステップＳ１０３のＹＥＳ）、制御部１２はコントロールパルスを計数すると共に、テープ走行速度及びコントロールパルスの周期から録画モードを検出する（ステップＳ６０１）。ステップＳ６０２では、各録画モードでの総録画時間を算出して、制御部２８に該算出結果を送信する。ここでは標準モードでの総録画時間をＰｓｐ、３倍モードでの総録画時間をＰｌｐとする。ステップＳ６０３では、ビデオ再生処理を行うと共に現在の画像モードを送信する。
【００５２】
図９は第３実施形態に係るデジタル録画部２０の動作を示すフローチャートである。
【００５３】
制御部２８は、ＶＣＲ部１０の制御部１２から制御信号線を介して各録画モードでの総録画時間の通知を受け取ると（ステップＳ７０１のＹＥＳ）、最適記録レート設定処理部２８aを用いて、光ディスクに映像／音声データを記録するに最適な記録レートを、各録画モードについて設定する（ステップＳ７０２）。
【００５４】
図１０は第３実施形態に係る最適映像記録レート算出処理を示すフローチャートである。
【００５５】
制御部２８は制御部１２から受信した標準モードでの総録画時間Ｐｓｐと３倍モードでの総録画時間Ｐｌｐの合計がが８時間を超えているか判断し（ステップＳ８０１）、超えている場合、制御部１２に「ダビング不可能」を通知して（ステップＳ８０２）、処理を終了する。
【００５６】
各録画モードの総録画時間Ｐｓｐ、Ｐｌｐの合計が８時間を超えていない場合（ステップＳ８０１のＹＥＳ）、制御部２８は各録画モードの総録画時間Ｐｓｐ、Ｐｌｐ（ダビングに必要な時間）を本装置に接続された表示装置の画面に表示し（ステップＳ８０４）、ダビングを開始してよいかユーザの確認を得る。「ＯＫ」の場合（ステップＳ８０４のＹＥＳ）、制御部２８は最適記録レート設定処理部２８ａを用いて各記録モードでの最適記録レートの算出を開始する。
【００５７】
以下、標準モードでの総録画時間Ｐｓｐが９０分、３倍モードでの総録画時間Ｐｌｐが６０分、ＤＶＤの音声記録レートＲａがＤＤＭ１（３８４Ｋｂｐｓ）であったとして、最適記録レート設定処理部２８ａによる最適記録レートの算出方法を説明する。
【００５８】
先ず、総録画時間の和「Ｐｓｐ＋Ｐｌｐ」、音声記録レートＲａから音声の総データ量Ｄａを算出する（ステップＳ８０５）。総録画時間の和「Ｐｓｐ＋Ｐｌｐ」は１５０分であるから、音声の総データ量Ｄａは以下のようになる。
【００５９】
Ｄａ＝３８４×１０００（ｂ）×１５０（分）×６０（秒）
＝３４５６（Ｍｂ）
＝４３２（ＭＢ）
＝０．４３２（ＧＢ）
ここでｂはビット、Ｂはバイトを示す。
【００６０】
次に、ＤＶＤの記録容量Ｃｄｖｄ、音声の総データ量Ｄａから映像データの記録に使用できる映像容量Ｃｖを算出する（ステップＳ８０６）。ＤＶＤの記録容量Ｃｄｖｄを４．７ＧＢとすると、映像容量Ｃｖは、記録容量Ｃｄｖｄ（４．７ＧＢ）から音声の総データ量Ｄａ（０．４３２ＧＢ）を引いて、４．２６８ＧＢとなる。
【００６１】
標準記録モード（ステップＳＰ）に対応するＤＶＤ映像記録レートをＲｓｐ、３倍モード（ＬＰ）に対応するＤＶＤ映像記録レートをＲｌｐとすると、映像容量ＣｖとＤＶＤ映像記録レートＲｓｐ、Ｒｌｐには以下の関係が成り立つ。
【００６２】
Ｃｖ＝［Ｒｓｐ×９０（分）×６０（秒）
＋Ｒｌｐ×９０（分）×６０（秒）］／（８×１０９）
Ｒｓｐ＝３×Ｒｌｐ
上記２式を解くと、
Ｒｌｐ＝１．５８Ｍｂｐｓ
Ｒｓｐ＝４．７４Ｍｂｐｓ
従って、最適記録レート設定処理部２８ａは３倍モードに対応するＤＶＤ映像記録レートＲｌｐを１．５Ｍｂｐｓ、標準記録モードに対応するＤＶＤ映像記録レートＲｓｐを４．７Ｍｂｐｓと決定する。
【００６３】
図９の説明に戻り、各最適記録レートが決定すると、制御部２８は制御信号線を介してＶＣＲ部１０の制御部１２に設定完了通知を送信する（ステップＳ７０３）。制御部２８はＶＣＲ部１０の制御部１２から、再生を開始したビデオテープの録画モードを受信すると（ステップＳ７０４のＹＥＳ）、録画モードに対応する記録レート（ステップＳ７０２で算出した記録レートＲｓｐまたはＲｌｐ）で、デジタル録画処理を行う（ステップＳ７０４）。このようにして、各録画モードに対応する記録レートでデジタル録画処理が行われる。このデジタル録画処理は、ビデオテープの終了通知を受信すると（ステップＳ７０６のＹＥＳ）終了する。
【００６４】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００６５】
【図１】本発明の一実施の形態による録画再生システムを示す概略構成図。
【図２】ビデオテープ上の記録トラックを模式的に示す図。
【図３】同実施の形態にかかわる録画再生システムにおける最適記録レート設定処理のＶＣＲ部側の動作手順を示すフローチャート。
【図４】同実施の形態にかかわる録画再生システムにおける最適記録レート設定処理のデジタル録画部側の動作手順を示すフローチャート。
【図５】最適映像記録レート算出処理を示すフローチャート。
【図６】同実施の形態にかかわる録画再生システムにおける無録画領域検出時の最適記録レート設定処理及び録画同期処理のＶＣＲ部側の動作手順を示すフローチャート。
【図７】同実施の形態にかかわる録画再生システムにおける無録画領域検出時の最適記録レート設定処理及び録画同期処理のデジタル録画部側の動作手順を示すフローチャート。
【図８】第３実施形態に係るＶＣＲ部１０の動作を示すフローチャート。
【図９】図９は第３実施形態に係るデジタル録画部２０の動作を示すフローチャート。
【図１０】第３実施形態に係る最適映像記録レート算出処理を示すフローチャート。
【符号の説明】
【００６６】
Ｔ…磁気テープ、Ｄ…記録媒体、１０…ＶＣＲ部、１１…テープドライブ部、１１a…走行時間検出部、１１b…無録画領域検出部、１２…制御部、１２a…録画時間算出処理部、１２b…無録画領域処理部、２０…デジタル録画部、２１…Ａ／Ｄ変換部、  ２２…エンコーダ部、２３…データ処理部、２４…ディスクドライブ部、２５…デコーダ部、  ２６…セレクタ、２７…Ｄ／Ａ変換部、２８…制御部、２８a…最適記録レート設定処理部、２８b…テープ記録信号同期処理部、１００…録画再生システム、１０１…制御部、１０２…ユーザーインターフェース。
【図１】
2006024338.tif 000003
【図２】
2006024338.tif 000004
【図３】
2006024338.tif 000005
【図４】
2006024338.tif 000006
【図５】
2006024338.tif 000007
【図６】
2006024338.tif 000008
【図７】
2006024338.tif 000009
【図８】
2006024338.tif 000010
【図９】
2006024338.tif 000011
【図１０】
2006024338.tif 000012